(57)【要約】【課題】ウェブの如きネットワークを介した手続きに不慣れなユーザに対して、ウェブ上のサービスを受けるための手続きを簡単に行わせるとともに、費用を低減する。【解決手段】本発明は、物品提供手段によりウェブ上の資源についての利用権及び認証情報を伴う物理的な物品を提供する手順と、物品が提供されたユーザにより認証情報が入力された端末からアクセスされたサーバを用いて、利用権と認証情報とを関連付けて記憶する記憶手段に認証情報の照会を行う手順と、サーバにより、記憶手段からの認証情報に応答した照会情報を用いて、利用権の内容を反映したウェブ上の資源の割り当てを行う手順とを有する。【選択図】図１
2004110550.tif 000002
【特許請求の範囲】
【請求項１】
物品提供手段によりウェブ上の資源についての利用権及び認証情報を伴う物理的な物品を提供する手順と、
前記物品が提供されたユーザにより前記認証情報が入力された端末からアクセスされたサーバを用いて、前記利用権と前記認証情報とを関連付けて記憶する記憶手段に前記認証情報の照会を行う手順と、
前記サーバにより、前記記憶手段からの前記認証情報に応答した照会情報を用いて、前記利用権の内容を反映したウェブ上の資源の割り当てを行う手順とを有すること
を特徴とするウェブ上の資源の提供方法。
【請求項２】
前記ウェブ上の資源はドメインネームであること
を特徴とする請求項１記載のウェブ上の資源の提供方法。
【請求項３】
前記ウェブ上の資源はレンタルサーバであること
を特徴とする請求項１記載のウェブ上の資源の提供方法。
【発明の詳細な説明】
【０００１】
【発明の属する技術分野】
本発明は、例えば、ドメインネームやレンタルサーバの如きウェブ上の資源の提供方法に関する。
【０００２】
【従来の技術】
近年の情報通信技術の発達とともに、インターネットの如きネットワークを介して時と場所を選ばずに個人や企業が所要の情報を自由に取得し、これら情報を用いた経済活動が盛んなものとなっている。上述のように所要の情報を取得するためには、情報の利用者であるユーザが、インターネットにおける情報検索システムの一つであるＷＷＷ（Ｗｏｒｌｄ　Ｗｉｄｅ　Ｗｅｂ；以下、ウェブと称す）上のサーバにアクセスし、該ユーザが使用する端末と該サーバとの間で所要の情報を送受信する。
【０００３】
ユーザがウェブ上で情報を送受信するためには、接続先であるサーバが提供するウェブページのＵＲＬ（Ｕｎｉｆｏｒｍ　Ｒｅｓｏｕｒｃｅ　Ｌｏｃａｔｏｒ）を特定し、該ユーザが登録したプロバイダが提供する回線を介して該サーバにアクセスする。ユーザが該サーバにアクセスするに際しては、アクセスするサーバのウェブページを指定するＵＲＬの入力、或いはブラウザにより表示されたウェブページのリンク先を選択することにより該サーバにアクセスすることができる。
【０００４】
また、ユーザがウェブ上で情報の送受信をする際に、該プロバイダがユーザに提供するレンタルサーバに割り当てられた所定の領域にウェブページをアップロードする場合や、電子メールによる情報の送受信も行われる。
【０００５】
一方、ウェブページのアドレスや電子メールを利用する際には、ウェブページの所在地やユーザを識別するためのアドレスが必要であり、プロバイダが提供するものに限らず、各ユーザは好みに応じて設定することもできる。特に、ドメインネームは、ウェブ上でそれぞれ一つしか存在することができず、日本においては、日本ネットワークインフォメーションセンター（Ｊａｐａｎ　Ｎｅｔｗｏｒｋ　ＩｎｆｏｔｍａｔｉｏｎＣｅｎｔｅｒ：以下、ＪＰＮＩＣと称す）の如き所定の登録機関が海外のネットワークインフォメーションセンター（Ｎｅｔｗｏｒｋ　Ｉｎｆｏｒｍａｔｉｏｎ　Ｃｅｎｔｅｒ：ＮＩＣ）と連係し、ユーザが希望するドメインネームを割り当てる。ドメインネームの割り当てを受けたユーザは、割り当てられたドメインネームを独占的に使用することができる。
【０００６】
また、ウェブ上で送受信される情報を利用した経済活動が活発化するに伴い、これらレンタルサーバやドメインネームを使用することを求めるユーザも増加している。これらユーザは、レンタルサーバやドメインネームの登録を行う事業者に所定の料金を支払うことにより、レンタルサーバの借り受けやドメインネームの登録を行うことができる。
【０００７】
【発明が解決しようとする課題】
ところで、ドメインネームを登録する際には、各ユーザが使用する端末をドメインネームの登録を行うサーバにアクセスし、該サーバが提供するウェブページに表示された指示に従ってドメインネームの検索及び登録依頼のための所要の手続きを行うことにより、該ユーザはドメインネームを登録することができる。
【０００８】
しかしながら、ドメインネームの登録を望むユーザ全てが、ドメインネームを登録するために行う一連の操作に熟練しているわけではなく、ウェブ上における操作に関する知識や経験を十分に習得していない場合も多い。例えば、年配のユーザにおいては、パーソナルコンピュータの操作自体を初めて行う場合もあり、ウェブ上の操作に戸惑うこともある。さらに、ドメインネームを登録するために支払う料金はクレジットカードによることが殆どであり、クレジットカードを有しないユーザにとっては、ドメインネームを登録する機会すら得られないこともある。
【０００９】
また、ユーザ自身がウェブページをウェブ上に開示する場合においては、該ウェブページに関する情報を記憶させるための所要の容量領域を提供するレンタルサーバを借り受け、該容量領域にユーザが作成したウェブページをアップロードすることによりウェブページを開示することが可能となるが、ユーザがレンタルサーバを借り受けるためには、多くの費用と煩雑な手続きとが必要となる場合も多い。
【００１０】
さらに、ユーザがウェブページをアップロードする際に、該ウェブページのＵＲＬを指定するためのドメインネームを取得するとともに、該ウェブページをアップロードするためのレンタルサーバを借り受けるためには、ウェブページのアドレスを示すためのドメインネームの取得と、レンタルサーバの借り受けとを別々に行うことになり、ユーザが煩雑な作業を強いられるだけでなく、これらサービスを提供する事業者に支払う費用も多額なものとなる場合がある。特に、個人でこれらドメインネームの取得とレンタルサーバの借り受けとを行うに際しては、作業の煩雑さと費用の負担が大きなものとなる。さらに、ウェブ上の操作に関する知識や経験を有しないユーザにとっては尚更である。
【００１１】
よって、本発明はこのような実情に鑑みてなされたものであり、煩雑な作業や費用の増大を招くことがなく、例えば、ドメインネームの登録やレンタルサーバの借り受けに関する手続きに熟練していないユーザが、簡便にこれらサービスの提供を受けることができるウェブ上の資源の提供方法を提供することを目的とする。
【００１２】
【課題を解決するための手段】
本発明に係るウェブ上の資源の提供方法は、物品提供手段によりウェブ上の資源についての利用権及び認証情報を伴う物理的な物品を提供する手順と、物品が提供されたユーザにより認証情報が入力された端末からアクセスされたサーバを用いて、利用権と認証情報とを関連付けて記憶する記憶手段に認証情報の照会を行う手順と、サーバにより、記憶手段からの認証情報に応答した照会情報を用いて、利用権の内容を反映したウェブ上の資源の割り当てを行う手順とを有することを特徴とする。
【００１３】
このようなウェブ上の資源の提供方法によれば、ユーザは、ウェブ上で提供される資源を利用することができる権限としての利用権と、この資源を提供するサーバが該利用権の有無を確認するために参照される認証情報とを伴う物品の提供を受けることにより、ユーザによって認証情報が入力された端末からアクセスされたサーバが認証情報を認証し、該認証情報と関連付けられた利用権に応じたウェブ上の資源を該ユーザに割り当てることができ、ユーザが提供を希望するウェブ上の資源を、煩雑な作業を行うことなくウェブ上の資源の提供を受けることができる。
【００１４】
さらに、このようなウェブ上の資源の提供方法によれば、ウェブ上で提供される資源についての利用権に対する対価を商品として販売される物品の価格に含ませておくことにより、ユーザは、ドメインネームの登録やレンタルサーバの割り当てを行う事業者に支払う料金を全体として低減することが可能となる。
【００１５】
【発明の実施の形態】
以下、本発明の一例としてのドメインネームの登録方法について、図１乃至図４を参照しながら詳細に説明する。
【００１６】
図１は、利用権を伴う物品の一例について説明するための図であり、該物品は商品としてユーザに購入される。物品としてユーザに提供される商品１は、本例では、ドメインネームの登録を行うための情報が記憶された記録媒体１ａと、該サーバにアクセスするための認証情報としてのＩＤ（Ｉｄｅｎｔｉｆｉｃａｔｉｏｎ）情報が記録された記録媒体１ｂとが、箱の如き包装容器１ｃに収められた形態をなし、ドメインネームの登録を行うサーバに対する利用権が付与された状態でユーザに提供される。
【００１７】
記録媒体１ａは、ユーザがウェブ上でドメインネームを登録するために所要の手続きを行うための情報が記録されており、具体的には、ユーザが使用する端末に対して、上記手続きの手順を指示するウィザードに関するプログラムが記録されている。
【００１８】
通常、ユーザがドメインネームの登録を行うためには、所定の登録機関に対してドメインネームの登録を行うサーバにアクセスし、該サーバにより提供されるウェブページに表示された指示に従ってドメインネームの登録を行うことになるが、ドメインネームの登録を初めて行うユーザや、ドメインネームの登録に不慣れなユーザにとっては、ウェブページに表示された指示通りに手続きを行うことが困難である場合がある。さらに、ドメインネームの登録を行うためのウェブページの所在地を示すＵＲＬを特定し、アクセスすることも難しい。
【００１９】
そこで、ユーザは、ユーザが使用する端末に記録媒体１ａに記憶されたプログラムを読み込ませることにより、該プログラムに基づいて指示される手順に従ってドメインネームの登録のための手続きを容易に行うことができる。例えば、端末に接続された表示装置に所定の入力画面が順次表示されることにより、ユーザはその入力画面に従って入力を行えばよい。また、記録媒体１ａにアクセス先のＵＲＬに関する情報を記録させておき、該情報を読み込んだ端末がユーザの操作によることなく自動的に端末をサーバにアクセスさせることができる。
【００２０】
また、記録媒体１ａは、ＣＤ−ＲＯＭやフロッピー（登録商標）ディスクなど磁気記録媒体やＭＯ（Ｍａｇｎｅｔｏ−Ｏｐｔｉｃ）の如き光磁気記録媒体のように、ユーザが使用する端末により読み取り可能な形態を有するものであれば如何なる記録媒体でも良い。
【００２１】
記録媒体１ｂは、ユーザを識別するための認証情報が記載されている。認証情報は、具体的には、該ユーザがアクセス先であるサーバによりドメインネームの登録を行うことができることを証明するためのＩＤ情報である。ＩＤ情報は、例えば紙の如き記録媒体１ｂに記載された文字列として表示され、ユーザは、読み取ったＩＤ情報を直接端末に入力することによりドメインネームの登録を行うサーバで認証を受けることになる。これにより、サーバにより認証されたユーザは、ドメインネームを登録することが可能となる。さらに、ＩＤ情報をバーコードで表示し、端末に備えられたバーコードリーダの如き読み取り装置により直接読み取らせても良く、本例の表示形態に限定するものではない。
【００２２】
包装容器１ｃは、記録媒体１ａ，１ｂを包装することができるものであれば如何なるものでも良く、一般にソフトウェアが記憶された記録媒体を箱に収納し、販売可能な状態とされる形態を形成したものであれば如何なる包装形態でも良い。
【００２３】
ユーザに対して提供される利用権は、ドメインネームの登録を行うサーバにユーザがドメインネームの登録を行わせることができる権限であり、商品１を購入することにより該利用権をユーザが取得することができる。通常、ドメインネームの登録を行うに際しては、ウェブ上に存在し、ドメインネームの登録を行うサーバにユーザがアクセスし、ユーザが登録を希望するドメインネームの検索や登録に関する手続きに対する料金を登録時に支払うことにより、該サーバにドメインネームの登録を行わせることが可能となり、該サーバによる所定の登録機関へのドメインネームの登録が行われる。
【００２４】
本例では、ドメインネームの登録を行うサーバに対して、ユーザがドメインネームの登録を行わせることができる権限としての利用権を、該サーバにアクセスするためのＩＤ情報を提供することによりユーザに提供する。ユーザは、該利用権を取得するために商品１を購入し、商品１に含まれるＩＤ情報に基づいてドメインネームの登録を行わせることができる。
【００２５】
また、利用権の提供を受けるに際してユーザが購入する商品１の価格には、ドメインネームの登録費用や、登録したドメインネームを所定の期間維持するための維持費が含まれており、商品１を購入するに際して支払った料金以外の支払いを行うことがないため、ユーザは過剰な追加料金を請求されることを心配することなく、安心してドメインネームの登録を行うことができる。
【００２６】
さらに、本例のドメインネームの登録方法に限定されず、ウェブ上におけるレンタルサーバの借り受け、プロバイダへの新規登録又は新規プロバイダへの乗り換えの如きウェブ上の資源に対しても、ユーザは商品１を購入することによりサーバにアクセスするためのＩＤ情報を取得することができる。これにより、ユーザはこれらウェブ上の資源の提供を受けることが可能となる。
【００２７】
図２は、商品１の物品提供手段の一例を示す図である。図２に示すように、商品１は、各種ソフトウェアが包装容器に収納されたソフトウェアパッケージ２と同様に店頭に陳列して販売される。ドメインネームの登録を希望するユーザは、店頭で商品１を購入することにより、該サーバにより提供されるウェブ上の資源としてのサービスに対する利用権と共にＩＤ情報の提供を受けることができ、ドメインネームの登録を行わせることができる権限としての利用権を取得することができる。
【００２８】
一般に、ウェブ上のサーバが提供するサービスを受けるためにユーザが支払う料金は、クレジットカードにより支払う場合が多いが、料金をユーザが直接現金で支払うことにより、ユーザは、サーバの利用権を物品の如き直接取引可能な形態を有する商品１として購入することが可能である。ユーザは、クレジットカードを利用する必要がなく、クレジットカードを所有しない場合でもドメインネームの登録を行うこともできる。
【００２９】
また、ユーザが、クレジットカードにより店頭で直接料金を支払うことにより商品１を購入する場合においても、ドメインネームの登録によりサーバを運営する事業者に支払う料金が商品１の販売価格に全て含まれているため、ドメインネームの登録に不慣れなユーザであっても、販売価格以上の料金を支払う必要が生じることもない。サーバを提供する事業者が提供する過剰な見積もり金額に応じた料金を支払うことがないため、ユーザは安心してドメインネームの登録に関する手続きを行うことが可能となる。
【００３０】
次に、図３及び図４を参照しながら、本例のドメインネームの登録方法について詳細に説明する。尚、図３は、本発明のウェブ上の資源の提供方法を説明するための図であり、図４は、本発明の一例としてのドメインネームの登録方法の手順を示すフローチャートである。
【００３１】
図３に示すように、本例では、ユーザがドメインネームの登録に関する入力を行う端末１０がウェブに接続可能な状態とされている。ユーザの希望に応じてドメインネームの登録を行うサーバ１２が、インターネット１１に接続されているとともに、ドメインネームの登録を一括して管理する図示しないサーバもインターネット１１に接続されている。尚、ユーザが使用する端末１０がウェブ上の各種サーバにアクセスするための回線を開放するプロバイダにより提供されるサーバは、図示していない。
【００３２】
ユーザは、店頭で販売される商品１を購入し（Ｓ１）、ドメインネームの登録に関する手続きを行わせるための各種情報が記録された記録媒体１ａとしてのＣＤ−ＲＯＭを端末に読み込ませる（Ｓ２）。
【００３３】
続いて、ユーザは、ユーザが取得したいと考えるウェブ上において提供される資源に応じて、これら資源をユーザが取得する際に行うウェブ上における手続き及びアクセス先であるサーバに該端末１０を自動的にするためのプログラムが書き込まれた記録媒体１ａから読み取った情報に基づいて、端末１０を所定のサーバ１２にアクセスさせる（Ｓ３）。
【００３４】
また、ユーザに提供される記録媒体１ａは、ＣＤ−ＲＯＭやフロッピー（登録商標）ディスクなど磁気記録媒体や、ＭＯ（Ｍａｇｎｅｔｏ−Ｏｐｔｉｃ）の如き光磁気記録媒体など販売可能な形態を有するものであれば如何なる記録媒体でも良い。
【００３５】
端末１０は、ユーザが端末１０を介して行う操作手順に関する情報が記憶された記録媒体１ａとしてのＣＤ−ＲＯＭ（Ｃｏｍｐａｃｔ　Ｄｉｓｃ　Ｒｅａｄ　Ｏｎｌｙ　Ｍｅｍｏｒｙ）からドメインネームの登録を行うための操作手順に関する情報を読み取り、ユーザは、表示画面に表示されたウィザードの指示に従って端末にドメインネームを登録するための所定の事項を入力する（Ｓ４）。また、端末１０に接続された表示画面に、該サーバ１２から送信された情報として、例えばＣＧＩ（Ｃｏｍｍｏｎ　ＧａｔｅｗａｙＩｎｔｅｒｆａｃｅ）の如きウェブ上のサーバから外部プログラムを利用するための標準インターフェイスによる入力画面が表示されても良い。
【００３６】
次に、ユーザは、サーバ１２に対してユーザがドメインネーム登録に関するサービスを利用することができるか否かを判別するために参照されるＩＤ情報が印刷された紙からＩＤ情報を読み取り、コンピュータに該ＩＤ情報を入力する。これとともに、パスワードを入力する（Ｓ５）。
【００３７】
サーバ１２は、ユーザが購入する商品１に含まれるＩＤ情報を記憶するハードディスクの如き記憶手段を有している。サーバ１２は、端末１０から送信されたＩＤ情報と、該ハードディスクから読み出されたＩＤ情報とを照合し、該ユーザがドメインネームの登録を行うことができるか否かを判断する（Ｓ６）。なお、該記憶手段は、サーバ１２とネットワークを介して情報の読み出し、及び書き込みができるように接続されていても良い。
【００３８】
また、記憶手段に記憶されたＩＤ情報は、商品１に含まれる記録媒体１ｂに記録されたＩＤ情報と対応して該記憶手段に記憶されている。なお、商品１を提供する事業者は、該サーバ１２を運営する事業者でも良いし、サーバ１２によるドメインネームの登録を受けることができる利用権のみを提供する事業者であっても良い。
【００３９】
ＩＤ情報がドメインネームの登録に際して正当な権限を証明することをサーバ１２により確認された場合には、サーバ１２は所定の登録機関にドメインネームの登録を行い、該所定の登録機関によりドメインネームが該ユーザに割り当てられる（Ｓ７）。通常ドメイン名は、インターネットの中で重複しないように決められており、国などに割り当てられているトップレベルドメイン（第１階層）があるが、本実施形態において対象となるドメインネームは、このトップレベルドメインも含むもので、どのレベル（階層）のドメインネームであるかには限定されない。また、アルファベットやローマ数字により構成されるドメインネームに限定されず、ドメインネームを構成し、登録可能な文字であれば如何なる文字で構成されたドメインネームでも良い。また、ユーザが権限を有していない場合には、ドメインネームの登録は中止される（Ｓ８）。
【００４０】
また、本例の如きドメインネームの登録に限定されず、サーバ１２がレンタルサーバの借り受けやその他ウェブ上の資源を提供する場合には、予めＩＤ情報と、サーバ１２が提供するウェブ上の資源とを対応させておき、受信したＩＤ情報に応じウェブ上の資源を提供することにより、ドメインネームの登録に限定されない各種ウェブ上の資源の借り受けを行うことができる。
【００４１】
さらに、サーバ１２は、ＪＰＮＩＣから一括してＩＰアドレスの受け、該ＩＰアドレスに応じたドメインネームをユーザに対するドメインネームやネットワークアドレスの割り当てをする。また、未登録のドメインネームをユーザの要望に応じて検索し、登録する。また、サーバ１２は、ユーザがインターネットに接続するための情報の伝送路を開放すると共に、各種サービスとして電子メール、ＮｅｔＮｅｗｓサービス、ＷＷＷサービスのためのプロキシサーバを提供し、ユーザが円滑にサービスを受けることができるようにすることもできる。
【００４２】
次に、本発明の一例としてのレンタルサーバの借り受け方法について、図３及び図５を参照しながら説明する。
【００４３】
図５に示すように、ユーザは、店頭で販売される商品１を購入し（Ｓ１１）、該商品に包装された記録媒体１ａとしてのＣＤ−ＲＯＭを端末に読み込ませる（Ｓ１２）。なお、本例では、記録媒体１ａはレンタルサーバを提供するサーバ１２へのアクセス及び手続きに関する情報が記録されている。
【００４４】
続いて、ユーザは、該端末を自動的にするためのプログラムが書き込まれた該ＣＤ−ＲＯＭから読み取った情報に基づいて、借り受けたいと考えるレンタルサーバを提供するサーバ１２に端末１０をアクセスさせる（Ｓ１３）。
【００４５】
ユーザは、記録媒体１ａに記憶された情報に基づいて表示画面に表示されたウィザードの指示に従って端末にレンタルサーバを借り受けるための所定の事項を入力する（Ｓ１４）。所定の事項としては、例えば、ユーザが借り受けたい容量や借り受け期間が挙げられる。また、端末に接続された表示画面に、該サーバ１２から送信された情報として例えばＣＧＩ（Ｃｏｍｍｏｎ　Ｇａｔｅｗａｙ　Ｉｎｔｅｒｆａｃｅ）の如きウェブ上のサーバから外部プログラムを利用するための標準インターフェイスによる入力画面が表示されても良い。
【００４６】
次に、ユーザは、サーバ１２に対してユーザがレンタルサーバを借り受けることができるか否かを判別するために参照されるＩＤ情報を記録媒体１ｂから読み取り、端末及びパスワードを入力する（Ｓ１５）。
【００４７】
サーバ１２は、ユーザが購入する商品１に含まれるＩＤ情報を記憶するハードディスクの如き記憶手段を有している。サーバ１２は、端末１０から送信されたＩＤ情報と、該ハードディスクから読み出されたＩＤ情報とを照合し、該ユーザがレンタルサーバの借り受けを行うことができるか否かを判断する（Ｓ１６）。なお、該記憶手段は、サーバ１２とネットワーク１１を介して情報の読み出し、及び書き込みができるように接続されていても良い。
【００４８】
また、上記記憶手段に記憶されたＩＤ情報は、商品１に含まれる記録媒体１ｂに記録されたＩＤ情報と対応して該記憶手段に記憶されている。なお、商品１を提供する事業者は、該サーバ１２を運営する事業者でも良いし、サーバ１２によるドメインネームの登録を受けることができる利用権のみを提供する事業者であっても良い。
【００４９】
ＩＤ情報がレンタルサーバを借り受けるための正当な権限を証明することをサーバ１２により確認された場合には、サーバ１２はユーザの希望した容量分のレンタルサーバを割り当てる（Ｓ１７）。なお、本例でユーザに割り当てられるレンタルサーバは、ユーザが開示するウェブページをアップロードするためのものであり、各種情報をユーザがウェブ上で発信するための情報を一時記憶させる為のサーバである。また、ユーザが権限を有していない場合には、レンタルサーバの割り当ては中止される（Ｓ１８）。
【００５０】
このようにして、ウェブ上の手続きに不慣れなユーザであっても簡単な操作によりレンタルサーバを借り受けることができる。さらに、商品１を購入する際に支払った料金のみで、レンタルサーバを借り受けることができ、レンタルサーバの借り受けの際の費用を低減することができる。
【００５１】
以上説明したように、ドメインネームの登録やレンタルサーバの借り受けのために必要となる操作手順が記録された記録媒体を含む商品をユーザが直接購入することにより、操作に不慣れなユーザであっても簡単にドメインネームの登録手続きを行うことができる。
【００５２】
また、上述のドメインネームの登録やレンタルサーバの借り受けに限定されず、ウェブ上における各種資源を提供するサーバがそれぞれ異なる場合でも、サーバが備える記憶手段に予めユーザを識別するためのＩＤ情報と提供することができる資源とを関連付けて記憶させておくことにより、送信されたＩＤ情報に応じてそれぞれウェブ上の資源を提供することもできる。
【００５３】
また、サーバは、例えば、レンタルサーバ、レンタルサーバホスティング、ホスティング、ウェブホスティング、インターネットプロバイダ或いはプロバイダと呼ばれる事業者により運営され、この事業者は、商品の販売を行うことにより、ウェブ上における各種サービスをユーザに提供することができる。
【００５４】
また、ユーザが、ウェブ上の資源を登録又は維持するための費用を購入時に支払うことにより、クレジットカードによる支払いを行うことが不要になる。バーチャルな世界における金銭などの授受を行うことなく、パッケージを購入する際に金銭の支払いを行うだけで良い。また、サービス提供者にとっても、パッケージを販売するコストを支出するのみで設備投資に関するコストを削減することも可能となる。
【００５５】
【発明の効果】
本発明に係るウェブ上の資源の提供方法によれば、ウェブ上の手続きに不慣れなユーザであってもドメインネームの登録やレンタルサーバの借り受けのための手続きを簡単に行うことができる。さらに、これらウェブ上の資源を提供するサーバにユーザが個別にアクセスすることがなくなり、煩雑な作業が不要となる。
【００５６】
さらに、ユーザは、登録又は維持費用を商品の購入時に支払うことになり、クレジットカード利用が不要になる。特に、ウェブ上の操作に不慣れなユーザにとっては、バーチャルな世界における金銭などの授受を行うことなく、パッケージを購入する際に金銭の支払いを行うだけで良いため、これらウェブ上の資源を提供する事業者へ支払う費用を低減することができる。また、これらウェブ上の資源を提供する事業者にとっても、利用権を付与した商品を直接ユーザに販売することにより、設備投資を削減することも可能となる。
【図面の簡単な説明】
【図１】本発明に係るウェブ上の資源の提供方法において、利用権を伴う物品の一例を説明するための図である。
【図２】商品の提供方法を説明するための図である。
【図３】本発明に係るウェブ上の資源の提供方法を説明するための図である。
【図４】本発明に係るウェブ上の資源の提供方法の一例としてのドメインネームの登録方法の手順を説明するためのフローチャートである。
【図５】本発明に係るウェブ上の資源の提供方法の一例としてのレンタルサーバの借り受け方法の手順を説明するためのフローチャートである。
【符号の説明】
１　商品、１ａ，１ｂ　記録媒体、１ｃ　包装容器、２　ソフトウェアパッケージ、１０　端末、１１　インターネット、１２　サーバ
【図１】
2004110550.tif 000003
【図２】
2004110550.tif 000004
【図３】
2004110550.tif 000005
【図４】
2004110550.tif 000006
【図５】
2004110550.tif 000007